(57)【特許請求の範囲】
【請求項１】
遊技領域が形成された遊技盤と、
前記遊技領域に打ち出される遊技球を貯留する上皿と、
前記上皿が満杯になった場合に遊技球が払い出される下皿と、
前記下皿に遊技球を払い出すための下皿用払出路と、
遊技島に取り付けられた島側回収ダクトに臨む開放口を有し、前記遊技領域に設けた入賞口又はアウト口から前記遊技盤の後側に流入した遊技球を回収するための回収路とを備え、
前記下皿用払出路と前記回収路とが少なくとも一部分で隣接し、前記回収路が前記下皿用払出路との隣接部分で屈曲すると共に、前記回収路の屈曲部分を流下する遊技球が前記下皿用払出路との隣接部分に衝突しうる構成をなし、
前記下皿用払出路と前記回収路との隣接部分の前記回収路の屈曲部分を流下する遊技球が衝突する位置に、前記下皿用払出路と前記回収路とを区画する耐熱性の不正防止板を設けたことを特徴とする遊技機。
【請求項２】
前記不正防止板は、前記下皿用払出路の開放口から所定の加熱手段が挿入されて加熱され得る部分に配置されたことを特徴とする請求項１に記載の遊技機。
【請求項３】
前記下皿用払出路と前記回収路とは、樹脂製の区画壁で区画され、前記不正防止板は、前記下皿用払出路内に配されて、前記区画壁を遊技球の大きさ以上のスペースを残さないように覆ったことを特徴とする請求項１又は２に記載の遊技機。
【請求項４】
前記不正防止板は、金属板で構成されたことを特徴とする請求項１乃至３の何れかに記載の遊技機。
【請求項５】
前記下皿用払出路のうち前記下皿への開放口近傍には、前記下皿用払出路内を流下した遊技球を受け止める保護金属部材が設けられ、
前記耐熱性の不正防止板は、前記保護金属部材に一体的に形成されたことを特徴とする請求項１乃至４の何れかに記載の遊技機。
【請求項６】
前記保護金属部材は、溝形構造をなして、前記下皿用払出路の底壁及び両側壁の内面を覆うように構成されたことを特徴とする請求項５に記載の遊技機。
【請求項７】
前記不正防止板は、熱硬化性樹脂製で構成されたことを特徴とする請求項１乃至３の何れかに記載の遊技機。
【発明の詳細な説明】
【０００１】
【発明の属する技術分野】
本発明は、下皿に遊技球を払い出すための下皿用払出路と、遊技盤の後側で遊技球を回収するための回収路とを隣接して設けた遊技機に関する。
【０００２】
【従来の技術】
図１４には、従来の遊技機の一例としてのパチンコ遊技機が示されており、このパチンコ遊技機には、上皿１と下皿２とが上下に並べて設けられている。そして、上皿１に貯留された遊技球が遊技盤３の遊技領域３Ｒに弾き出されると、その遊技領域３Ｒ内に複数設けた入賞口５の何れかに入るか、或いは、それら入賞口５を外れてアウト口４に入り、遊技盤３の後側に取り込まれる。遊技球が何れかの入賞口５に入ったときには、上皿１に所定複数の遊技球が払い出され、その上皿１が満杯になった場合には、それら遊技球が図１５（Ａ）に示した下皿用払出路８を通って下皿２に払い出される。また、入賞口５又はアウト口４を通って遊技盤３の後側に取り込まれた遊技球は、図１５（Ａ）に示した回収路７を通り、パチンコ遊技機の下方に回収され、そのパチンコ遊技機が取り付けられた島全体の内部に延びた島側回収路に流れ込む。これら回収路７及び下皿用払出路８は、パチンコ遊技機に備えた樹脂部品に一体形成されて、同図に示すように下皿用払出路８と回収路７との一部が互いに隣接した構造になっている。
【０００３】
【発明が解決しようとする課題】
ところが、上記した従来のパチンコ遊技機では、下皿用払出路８のうち下皿２に開放した球出口の内部に火のついた煙草等を差し込み、図１５（Ｂ）に示すように、下皿用払出路８と回収路７とを区画する樹脂製壁部９に孔を開けて、本来なら回収路７を通過して遊技場側に回収される遊技球を、不正に下皿２に払い出させるという行為が行われる心配があった。
【０００４】
本発明は、上記事情に鑑みてなされたもので、不正に遊技球を取得するための孔を開けることができない遊技機の提供を目的とする。
【０００５】
【課題を解決するための手段】
上記目的を達成するためになされた請求項１の発明に係る遊技機は、遊技領域が形成された遊技盤と、遊技領域に打ち出される遊技球を貯留する上皿と、上皿が満杯になった場合に遊技球が払い出される下皿と、下皿に遊技球を払い出すための下皿用払出路と、遊技島に取り付けられた島側回収ダクトに臨む開放口を有し、遊技領域に設けた入賞口又はアウト口から遊技盤の後側に流入した遊技球を回収するための回収路とを備え、下皿用払出路と回収路とが少なくとも一部分で隣接し、回収路が下皿用払出路との隣接部分で屈曲すると共に、回収路の屈曲部分を流下する遊技球が下皿用払出路との隣接部分に衝突しうる構成をなし、下皿用払出路と回収路との隣接部分の回収路の屈曲部分を流下する遊技球が衝突する位置に、下皿用払出路と回収路とを区画する耐熱性の不正防止板を設けたところに特徴を有する。
【０００６】
請求項２の発明は、請求項１記載の遊技機において、不正防止板は、下皿用払出路の開放口から所定の加熱手段が挿入されて加熱され得る部分に配置されたところに特徴を有する。
【０００８】
請求項３の発明は、請求項１又は２に記載の遊技機において、下皿用払出路と回収路とは、樹脂製の区画壁で区画され、不正防止板は、下皿用払出路内に配されて、区画壁を遊技球の大きさ以上のスペースを残さないように覆ったところに特徴を有する。
【０００９】
請求項４の発明は、請求項１乃至３の何れかに記載の遊技機において、不正防止板は、金属板で構成されたところに特徴を有する。
【００１０】
請求項５の発明は、請求項１乃至４の何れかに記載の遊技機において、下皿用払出路のうち下皿への開放口近傍には、下皿用払出路内を流下した遊技球を受け止める保護金属部材が設けられ、耐熱性の不正防止板は、保護金属部材に一体的に形成されたところに特徴を有する。
【００１１】
請求項６の発明は、請求項５に記載の遊技機において、保護金属部材は、溝形構造をなして、下皿用払出路の底壁及び両側壁の内面を覆うように構成されたところに特徴を有する。
【００１２】
請求項７の発明は、請求項１乃至３の何れかに記載の遊技機において、不正防止板は、熱硬化性樹脂製で構成されたところに特徴を有する。
【００１３】
【発明の作用及び効果】
＜請求項１及び２の発明＞
請求項１の構成によれば、下皿用払出路と回収路とを区画する耐熱性の不正防止板を設けたから、下皿用払出路と回収路とを連絡する不正な孔を開けることができなくなる。これにより、不正な遊技球の取得を防止することができる。具体的には、流下する遊技球が衝突する部分に不正な孔が形成されると、その孔を通して大量に不正な遊技球が取得され得るが、回収路のうち屈曲部分を流下する遊技球が衝突する位置に、不正防止板を配置したから上述したような大量に不正な遊技球が取得されることを防ぐことができる。また、請求項２の構成によれば、下皿用払出路の開放口から所定の加熱手段を挿入して加熱され得る部分に孔を開けることを防止することができる。
【００１４】
＜請求項３の発明＞
請求項３の発明によれば、不正防止板が、下皿用払出路内に配され、下皿用払出路と回収路との区画壁を遊技球の大きさ以上のスペースを残さないように覆うから、区画壁のうち不正防止板に覆われていない部分が溶かされたりしても遊技球が回収路から下皿用払出路に入り込むことがなくなる。
【００１５】
＜請求項４及び７の発明＞
不正防止板は、金属板で構成してもよいし（請求項４の発明）、熱硬化性樹脂製で構成してもよい（請求項７の発明）。なお、前記熱硬化性樹脂としては、フェノール樹脂や、ポリエステル樹脂であってもよい。
【００１６】
＜請求項５及び６の発明＞
請求項５の発明では、下皿用払出路のうち下皿への開放口近傍に設けた保護金属部材に、不正防止板を一体的に形成したから、部品点数を増やさずに不正な孔の形成を防止することができる。また、保護金属部材を、溝形構造にして、下皿用払出路の底壁及び両側壁の内面を覆うように構成すれば（請求項６の発明）、下皿用払出路の強化も図られる。
【００１７】
【発明の実施の形態】
以下、本発明を適用したパチンコ遊技機に係る一実施形態を、図１〜図１３に基づいて説明する。本実施形態のパチンコ遊技機は、一般のものと同様に、遊技場の遊技島に固定される枠体８０（図５参照）と、枠体８０から脱着可能な遊技機本体８１（図５参照）とに区分することができる。まずは、枠体８０について説明すると以下の通りである。
【００１８】
枠体８０は、図１及び図２に示した外枠８２に前面枠９０を回動可能に備えてなる。外枠８２は、図４に示すように、４つの木製の長板８３を縦長矩形状に接合して構成されており、外枠８２の一方の側辺には、１対のヒンジ片８５，８５が備えられ、他方の側辺の内面には、１対の被係止部８６，８６が備えられている。さらに、外枠８２の一側辺の外面には、図５に示すように、プリペードカードユニット１５０が取り付けられる。
【００１９】
前面枠９０は、一方の側辺にヒンジ片９１，９１を備え、そのヒンジ片９１と前記外枠８２のヒンジ片８５とを重ねてヒンジピン９２を貫通させてある。図３に示すように、前面枠９０には、遊技窓９０Ｗが形成されており、前面枠９０の前面にはガラス枠９５が、遊技窓９０Ｗに重ねて設けられている。ガラス枠９５は、前面枠９０に回動可能に取り付けられ、遊技窓９０Ｗより一回り小さな窓９５Ｗを備えて、そこにガラス板が張られている。また、図１に示すように、ガラス枠９５の前面のうち窓９５Ｗの縁部には、装飾ランプ９６が配されている。
【００２０】
前面枠９０及びガラス枠９５は、図４に示した施錠機構１００により、閉止状態に施錠される。施錠機構１００は、前面枠９０の後面のうちヒンジ片９１と反対側の側縁部に取り付けられている。施錠機構１００には、上下の両端に回動部材１０２，１０２が備えられ、その回動部材１０２の先端に形成した係止爪１０３を、外枠８２の被係止部８６に係止して、前面枠９０が閉止状態に施錠される。
【００２１】
前面枠９０のうちガラス枠９５より下方には、図１に示すように、前方の膨出したマウント部９８が設けられ、マウント部９８の上面には、凹状に陥没した上皿２７Ａが形成されている。そして、マウント部９８の右下に設けた操作ノブ２８を回動操作すると、上皿２７Ａに貯留された遊技球が後述する遊技領域Ｒ１に弾き出される。詳細には、上皿２７Ａは、前面枠９０の横方向に延び、上皿２７Ａの底面は、操作ノブ２８側に向かって傾斜している。また、上皿２７Ａの長手方向のうち操作ノブ２８側の概ね半分は、上板２７Ｃによって閉塞されている。さらに、上皿２７Ａのうち操作ノブ２８側の端部には、図示しない球供給路が連絡しており、この球供給路を通して前面枠９０に内蔵した図示しない発射装置に遊技球が供給される。そして、操作ノブ２８を回動操作することで、発射装置が駆動されて、遊技球が遊技領域Ｒ１に連続発射される。
【００２２】
なお、前面枠９０の内部には、上皿２７Ａと後述する下皿２７Ｂとを連絡する図示しない球移行用連絡路が形成されている。その球移行用連絡路は常には閉じており、上板２７Ｃから突出したボタン２９を押すと開通して、上皿２７Ａに貯留した遊技球が下皿２７Ｂに移動する。また、上皿２７Ａの他端には、第１球出口３０Ａが開口している。
【００２３】
マウント部９８のうち上皿２７Ａの下側には、左右に１対のスピーカ５９Ｓ，５９Ｓが設けられ、それらスピーカ５９Ｓ，５９Ｓに挟まれた中央部分には、前方に開放した空間が形成されている。その空間内を囲む壁部のうち奥面には第２球出口３１Ａが開放しており、空間内を囲む壁部の下面には、凹状に陥没した下皿２７Ｂが形成されている。そして、後述する下皿用払出路３２内を流下した遊技球が第２球出口３１Ａから下皿２７Ｂに向けて払い出される。
【００２４】
また、マウント部９８の左下には、灰皿３４が設けられており、この灰皿３４は、熱硬化性の樹脂（例えば、フェノール樹脂や、ポリエステル樹脂）で構成されている。
【００２５】
なお、前面枠９０のうちマウント部９８が取り付けられた部分は、上下方向に２分割されており、その上側半分は、ガラス枠９５と同様に回動する回動板９７となっている。そして、回動板９７を開くことで、前記した発射装置や球供給路を点検することができる。
【００２６】
図４に示すように、前面枠９０の後面には、遊技窓９０Ｗを囲むように囲壁９３が起立している。そして、図８に示すように、この囲壁９３の内部に後述の遊技盤１１が嵌合され、囲壁９３に備えた複数の係止レバー１１４にて遊技盤１１が前面枠９０に係脱可能に固定される。
【００２７】
以上、枠体８０の説明であって、次に遊技機本体８１について説明する。遊技機本体８１は、図６に示した遊技盤１１に種々の部品を組み付けてなる遊技盤側アッシと、同図に示した機構板７５に種々の部品を組み付けてなる機構板側アッシ（図１１参照）の２つのアッシよりなる。
【００２８】
遊技盤側アッシを構成する各部品に関して説明すると、遊技盤１１は、木製の概矩形板材で構成されている。遊技盤１１の前面には、図７に示すように、ガイドレール１２が取り付けられ、ガイドレール１２の内側が、遊技領域Ｒ１となっている。遊技領域Ｒ１のほぼ中央部には、液晶表示装置１３が設けられ、液晶表示装置１３の下方には、始動入賞口１４、大入賞口１５及びアウト口１６が、上から順に間隔を開けて並べて設けられている。また、遊技領域Ｒ１のうち液晶表示装置１３、及び始動入賞口１４等を挟んだ左右の両側には、上から順に、ランプ風車１７、始動ゲート１８及び風車１９、一般入賞口２０，２１が設けられ、ガイドレール１２に沿った両側部には、サイドランプ２２，２２が設けられている。さらに、これら入賞口等以外に、遊技領域Ｒ１には、図示しない複数の釘が起立している。
【００２９】
各部位の詳細は、以下のようである。前記始動入賞口１４は、両側に可動翼片１４Ｃ，１４Ｃを備える。可動翼片１４Ｃ，１４Ｃは、常には、始動入賞口１４に遊技球が１つ入賞可能な大きさで開口しており、始動ゲート１８に遊技球が通過すると、後述する主制御装置により乱数による抽選を行い、当たりだと遊技盤１１の後面に設けたソレノイド（図示せず）が駆動され、可動翼片１４Ｃ，１４Ｃが所定期間に亘って左右に拡開して、始動入賞口１４へ入賞し易くなる。
【００３０】
前記大入賞口１５は、横長に形成されて、常には可動扉１５Ｔにて閉塞されている。そして、所定条件の成立によって、パチンコ遊技機が大当たり状態になると、遊技盤１１の後面に設けたソレノイドが駆動され、可動扉１５Ｔが所定期間に亘って前側に倒れる。これにより、大入賞口１５が開放され、可動扉１５Ｔを案内にして、大入賞口１５に多くの遊技球が入賞可能になる。
【００３１】
前記液晶表示装置１３は、遊技盤１１に貫通形成された開口部に対し、遊技盤１１の前面側から取り付けた装飾枠２３と、遊技盤１１の後面側から取り付けた図柄制御装置（図示せず）とで構成されている。そして、遊技盤１１の前面側から、装飾枠２３を介して、図柄制御装置に備えた液晶画面を見ることができる。その液晶画面には、特別図柄１３Ａ，１３Ｂ，１３Ｃが、横並びに表示されている。各特別図柄１３Ａ，１３Ｂ，１３Ｃは、それぞれ例えば「０」〜「１１」の１２種類の数字体で構成されており、遊技の当たり外れを示すために用いられる。具体的には、各特別図柄１３Ａ，１３Ｂ，１３Ｃは、通常は、各特別図柄１３Ａ，１３Ｂ，１３Ｃごとに、所定の種類のものが停止表示されている。そして、前記始動入賞口１４に遊技球が入賞したときには、各特別図柄１３Ａ，１３Ｂ，１３Ｃが、上下方向にスクロールして変動表示され、所定時間後に、例えば、左、右、中の順に、各特別図柄１３Ａ，１３Ｂ，１３Ｃが停止表示される。このとき、これら特別図柄１３Ａ，１３Ｂ，１３Ｃが、例えば、ぞろ目になったか否かにより、遊技の当たり外れが判定される。
【００３２】
遊技盤１１の後面には、各入賞口１４，１５，２０，２１及びアウト口１６に入った遊技球を回収するための集合板（図示せず）が取り付けられている。具体的には、集合板は、各入賞口１４，１５，２０，２１及びアウト口１６に連通すると共に、例えば、下方に向かうに従って若干絞られ、下端部が下向きに開放している。そして、集合板の下端開放口は、機構板７５に形成された後述する漏斗部３５（図９参照）に臨んでいる。また、遊技盤１１には、集合板の後側に重ねて、図示しないランプ制御装置と音声制御装置と主制御装置が取り付けられている。
【００３３】
以上が、遊技盤側アッシを構成する各部品の説明である。次いで、機構板側アッシについて説明すると、機構板７５は、透明な合成樹脂（例えば、ＡＢＳ）で構成され、図６に示すように、全体として遊技盤１１より縦方向に長い矩形状をなす。機構板７５の一方の側部には、１対のヒンジピン７１，７１が取り付けられ、これらヒンジピン７１，７１が、枠体８０に備えた後述の前面枠９０の一側部に係合して、機構板７５が前面枠９０に対して回動可能となっている。また、機構板７５は、図６に示したナイラッチ６８とストッパー６７とを、前面枠９０の各部位に係止することで、前面枠９０に対して固定されている。そして、機構板７５に形成した矩形窓７４内に、前記遊技盤１１に固定の前記各制御装置が配置され、図５に示すように矩形窓７４の縁部に着脱可能に取り付けたカバー７６により、前記各制御装置を覆っている。
【００３４】
機構板７５の後面のうち矩形窓７４より下方には、図１１に示すように、払出制御装置５８と電源装置７０とが横並びにして取り付けられている。払出制御装置５８は、主制御装置から受けた信号に基づき、後述する払出装置７２の賞球モータ１４１を駆動する。電源装置７０は、パチンコホールに備えたＡＣ２４Ｖ設備電源から電力を受け、これを所定の電圧に変圧して各部位に配電する。
【００３５】
機構板７５の後面（遊技盤１１との接合と反対側の面）のうち矩形窓７４より上側には、図１１に示すように、遊技球タンク７５Ｔが設けられている。また、遊技球タンク７５Ｔの上方には、図示しない遊技島に取り付けられた島側供給ダクト（図示せず）が、複数のパチンコ遊技機を横切るように延びており、その島側供給ダクトから遊技球タンク７５Ｔに遊技球が供給されて、常に一定量以上の遊技球が遊技球タンク７５Ｔに貯留されている。
【００３６】
機構板７５の後面の側方部分には、払出装置７２が設けられている。そして、遊技球タンク７５Ｔに貯留された遊技球が、遊技球誘導レール７５Ｒを通って払出装置７２に供給される。
【００３７】
図１０に示すように、払出装置７２の内部には、上下方向に延びた賞球払出通路１４０が備えられ、賞球払出通路１４０の途中には、賞球モータ１４１によって駆動されるストッパ（図示せず）を備えた賞球装置２００が設けられている。また、遊技球誘導レール７５Ｒから賞球払出通路１４０内に流れ込んだ遊技球が堰き止められて、遊技球タンク７５Ｔから賞球装置２００内にかけて遊技球が一時的に蓄えられる。そして、前記入賞口１４，１５，２０，２１の何れかに遊技球が入賞すると、これが遊技盤１１の裏面に備えたスイッチに検出され、その検出信号に基づいて前記払出制御装置５８が賞球モータ１４１を駆動する。すると、検出信号に対応した所定数の遊技球が賞球装置２００より賞球払出通路１４０内の所定数の遊技球が、賞球払出通路１４０の終端の賞球払出部１４４へと流下する。
【００３８】
また、払出装置７２内には、賞球装置２００とは別に遊技者に遊技球を貸し出す貸し球装置２０１や遊技球が流下する貸し球用の払出通路２０２を設け、貸し球信号に応じて貸し球装置２０１が駆動され、遊技球が貸し球用の払出通路２０２を通過して賞球払出通路１４０と同様に賞球払出部１４４へ流下してもよいとする。
【００３９】
賞球払出部１４４は、機構板７５側に開放しており、その開放口が機構板７５に貫通形成された第１球出口３０Ｂに整合している。また、第１球出口３０Ｂは、前面枠９０に貫通形成されて前記上皿２７Ａに開放した第１球出口３０Ａに整合している。これにより、賞球払出部１４４に流下した遊技球は、上皿２７Ａに払い出される。また、賞球払出部１４４の底壁１４７は、前記これら球出口３０Ａ，３０Ｂに向かって下るように傾斜し、その底壁１４７には、溝型の金属カバー１４３が敷設されている。
【００４０】
払出装置７２には、賞球払出通路１４０の賞球払出部１４４に隣接して、下皿用払出路１４５Ａが形成されている。また、賞球払出部１４４と下皿用払出路１４５Ａとの間には、底壁１４７から起立した区画壁１４２が設けられ、その区画壁１４２より上方部分で賞球払出部１４４と下皿用払出路１４５Ａとが連通している。これにより、上皿２７Ａに遊技球が満杯になり、その状態で前記入賞口１４，１５，２０，２１の何れかに遊技球が入賞すると、遊技球が区画壁１４２を乗り越えて、下皿用払出路１４５Ａ側に流れ込む。
【００４１】
下皿用払出路１４５Ａは、払出装置７２の下面に開放し、その下面の開放口には、機構板７５に一体形成された下皿用払出路１４５Ｂの上端開口が接合されている。
【００４２】
機構板７５における下皿用払出路１４５Ｂは、図９に示すように、上端開放口から下方に向かう途中で斜め下方に向かって延び、終端部が機構板７５の横方向の中央に配置されている。なお、図９及び図１０に示された下皿用払出路１４５Ｂにおける後方開放部は、別部品の壁部材により閉塞されている。
【００４３】
下皿用払出路１４５Ｂの終端の払出部１４８には、機構板７５の平板部７５Ｈから下方に突出しかつその平板部７５Ｈの前後にも突出した１対の側壁１４９，１４９が備えられ、それら側壁１４９，１４９の下端部の間が底壁１５１に繋がれている。その底壁１５１は、機構板７５の前面側に向かって下るように傾斜している。また、払出部１４８の前面は、前面枠９０に向かって開放しており、その開放口が前面枠９０に形成された前記第２球出口３１Ａに整合している。これにより、下皿用払出路１４５Ｂを流下した遊技球が、第２球出口３１Ａから下皿２７Ｂに排出される。さらに、図１３（Ａ）に示すように、機構板７５の前面側においては、１対の側壁１４９，１４９の上端部の間を繋ぐように天井壁が設けられ、これにより、払出部１４８の前端部は矩形筒構造になっている。
【００４４】
図９及び図１２に示すように、機構板７５の前面側には、矩形窓７４の下縁部に沿って漏斗部３５が形成され、前述したように遊技盤１１に取り付けられた集合板からの遊技球がこの漏斗部３５に向けて排出される。漏斗部３５の底壁は、機構板７５の横方向の中央部に向かって緩やかに下っており、その中央部から下方に向かって回収路１５２が延びている。回収路１５２は、図１２に示すように、途中で屈曲して下皿用払出路１４５Ｂの払出部１４８に向かって斜めに延び、その払出部１４８の一方の側壁１４９と交差した部分で再び屈曲して真っ直ぐ下方に向かっている。そして、回収路１５２のうち下皿用払出路１４５Ｂの払出部１４８に隣接した下端部は、図１３（Ａ）に示すように、払出部１４８の一方の側壁１４９（本発明の「樹脂製の区画壁」に相当する）で区画された構造になっている。また、回収路１５２の下端部は、下方に開放し、その開放口が図示しない遊技島に取り付けられた島側回収ダクト（図示せず）に臨んでいる。
【００４５】
なお、図１３（Ａ）に示された回収路１５２の前面側の開放部分は、別部品の壁部材１５２Ｆにより閉塞されている。また、前記漏斗部３５に関しても、前面の開放部分は、図示しない別部品の壁部材によって閉塞されている。
【００４６】
さて、下皿用払出路１４５Ｂの払出部１４８には、保護金属部材１５５が組み付けられている。保護金属部材１５５は、図９に示すように板金を溝形に折り曲げて形成され、底板１５５Ａの両側に１対の側板１５５Ｂ，１５５Ｂが起立した構造をなす。底板１５５Ａの後端からは１対の係止爪１５６，１５６が突出しており、これら係止爪１５６，１５６は、払出部１４８の後端部が別部品の壁部材で閉塞される前に、払出部１４８の底壁１５１の後端縁に沿ってフック状に折り曲げられて係止されている。また、保護金属部材１５５の前縁部からは、外側に向けてフランジ１５５Ｆが張り出しており、このフランジ１５５Ｆが、図１３（Ａ）に示すように払出部１４８の前端縁を覆っている。
【００４７】
保護金属部材１５５のうち回収路１５２と下皿用払出路１４５Ｂの払出部１４８とを区画する側壁１４９に敷設される側の側板１５５Ｂからは、上方に向かって不正防止板１５７が延設されている。不正防止板１５７は、側板１５５Ｂのうち前側部分に配置され、図１３（Ａ）に示すように、払出部１４８の側壁１４９のうち回収路１５２と払出部１４８とを区画する部分を覆っている。また、同図においては、払出部１４８の側壁１４９のうち上端部分は、不正防止板１５７から露出しているが、その露出部分は、遊技球が通過不可能な大きさになっている。
【００４８】
次に、上記構成からなる本実施形態の作用・効果を説明する。
上皿２７Ａに遊技球が貯留されると、それら遊技球が図示しない球供給路を通って枠体８０に内蔵の図示しない発射装置に供給される。この状態で操作ノブ２８を回動操作すると、発射装置が駆動され、遊技盤１１の遊技領域Ｒ１に遊技球が連続発射される。遊技球は、遊技領域Ｒ１を流下する途中で、幾つかは入賞口１４，１５，２０，２１の何れかに入賞する。すると、遊技球の入賞が図示しない検出スイッチにより検出され、その検出信号に基づいて払出装置７２に備えた賞球モータ１４１が駆動される。これにより、賞球払出通路１４０内に蓄えられた所定数の遊技球が流下し、賞球払出部１４４の底壁１４７に案内され、第１球出口３０Ａから上皿２７Ａ上に払い出される。また、遊技領域Ｒ１に弾き出された遊技球が、入賞口１４，１５，２０，２１を外れてアウト口１６に流入した場合には、賞球は払い出されない。
【００４９】
入賞口１４，１５，２０，２１に連続して多くの遊技球が入賞すると、上皿２７Ａに遊技球が溢れ、賞球払出部１４４内に遊技球が滞る。この状態で更に、入賞して賞球払出通路１４０を遊技球が流下すると、遊技球が賞球払出部１４４の区画壁１４２を乗り越えて下皿用払出路１４５Ａ，１４５Ｂに流れ込む。すると、下皿用払出路１４５Ａ，１４５Ｂを通って遊技球が上皿２７Ａより下方に移動し、払出部１４８から第２球出口３１Ａを通って、下皿２７Ｂに排出される。ここで、払出部１４８の内部には、保護金属部材１５５が敷設されて強化されているから払出部１４８内に流れ込んだ遊技球の衝撃にも耐えることができる。
【００５０】
また、遊技領域Ｒ１に弾き出されて、入賞口１４，１５，２０，２１及びアウト口１６を通って遊技盤１１の後ろ側に取り込まれた遊技球は、遊技盤１１に取り付けられた図示しない集合板を通り、機構板７５に形成した漏斗部３５に流入する。そして、それら遊技球は漏斗部３５の中央の回収路１５２に流入し、パチンコ遊技機の下方に備えた図示しない島側回収ダクトに排出され、遊技場の所定の場所に回収される。
【００５１】
ところで、回収路１５２は、下皿用払出路１４５Ｂの払出部１４８に隣接しているから、回収される遊技球はパチンコ遊技機の下側外部に排出される前に、下皿用払出路１４５Ｂの払出部１４８の隣を通過する。ここで、不正に遊技球を得ようとしている者が、例えば、火がついた煙草を、下皿２７Ｂの第２球出口３１Ａの奥部に挿入することが想定される。しかしながら、本実施形態のパチンコ遊技機では、底壁１５１に一体に設けた不正防止板１５７が、下皿用払出路１４５Ｂの払出部１４８と、遊技球を回収するための回収路１５２とを区画しているから、煙草の熱により、下皿用払出路１４５Ｂと回収路１５２との間の側壁１４９に、不正な孔が開けられることがない。特に、本実施形態の構成では、回収路１５２が屈曲して、その屈曲部分を流下した遊技球が、下皿用払出路１４５Ｂと回収路１５２との間の側壁１４９に頻繁に衝突するので、丁度その衝突する部分に、不正な孔を開けられると、大量な不正な遊技球が取得される事態が生じるが、そのような事態を防ぐことができる。
【００５２】
このように、本実施形態によれば、下皿用払出路１４５Ｂと回収路１５２とを区画する部分のうち加熱可能な部分（第２球出口３１Ａの奥部）を耐熱性の不正防止板１５７にて覆ったから、第２球出口３１Ａから所定の加熱手段（例えば、煙草）を挿入しても、下皿用払出路１４５Ｂと回収路１５２とを連絡する不正な孔を開けることはできなくなる。これにより、不正な遊技球の取得を防止することができる。しかも、不正防止板１５７は、回収路１５２内を流下した遊技球を受け止めるための保護金属部材１５５に一体的に形成されているから、部品点数を増やさずに、不正な孔が成形されることを防止することができる。
【００５３】
＜他の実施形態＞
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
（１）前記実施形態では、不正防止板１５７は金属板で構成されていたが、熱硬化性樹脂製で構成してもよい。不正防止板を構成する熱硬化性樹脂としては、前記灰皿３４を構成する部材であるフェノール樹脂やポリエステル樹脂を用いることができる。
【００５４】
（２）また、不正防止板を熱硬化性合成樹脂で構成する場合には、例えば、回収路１５２の閉塞するための前記壁部材１５２Ｆに一体に成形してもよい。
【００５５】
（３）前記実施形態では、不正防止板１５７は、保護金属部材１５５に一体に形成されていたが、保護金属部材１５５と不正防止板１５７とを別々に形成してもよい。
【００５６】
（４）また、不正防止板が、回収路１５２と下皿用払出路１４５Ｂの払出部１４８と回収路１５２とを区画する壁部に内蔵されるように、インサート成形してもよい。
【図面の簡単な説明】
【図１】本発明の一実施形態に係るパチンコ遊技機の枠体の前方斜視図
【図２】前面枠を開いた状態の斜視図
【図３】ガラス枠を開いた状態の斜視図
【図４】枠体の部品を示した斜視図
【図５】パチンコ遊技機の後方斜視図
【図６】パチンコ遊技機の部品を示す斜視図
【図７】パチンコ遊技機に備えた遊技盤の正面図
【図８】枠体の前面枠に遊技盤を取り付けた状態の斜視図
【図９】パチンコ遊技機の枠体の前方斜視図
【図１０】払出装置の分解斜視図
【図１１】機構板側アッシの後方斜視図
【図１２】機構板の正面図
【図１３】下皿への払い出し部分の斜視図
【図１４】従来のパチンコ遊技機の正面図
【図１５】従来のパチンコ遊技機における下皿への払い出し部分の斜視図
【符号の説明】
１１…遊技盤
１４，１５，２０，２１…入賞口
１６…アウト口
２７Ａ…上皿
２７Ｂ…下皿
３１Ａ…第２球出口
３２…下皿用払出路
７５…機構板
１４５Ｂ…下皿用払出路
１４８…払出部
１４９…側壁
１５１…底壁
１５２…回収路
１５５…保護金属部材
１５７…不正防止板
Ｒ１…遊技領域
【図１】
0003558341.tif 000002
【図２】
0003558341.tif 000003
【図３】
0003558341.tif 000004
【図４】
0003558341.tif 000005
【図５】
0003558341.tif 000006
【図６】
0003558341.tif 000007
【図７】
0003558341.tif 000008
【図８】
0003558341.tif 000009
【図９】
0003558341.tif 000010
【図１０】
0003558341.tif 000011
【図１１】
0003558341.tif 000012
【図１２】
0003558341.tif 000013
【図１３】
0003558341.tif 000014
【図１４】
0003558341.tif 000015
【図１５】
0003558341.tif 000016